(57)【特許請求の範囲】
【請求項１】
多数の孔を有する六辺形状の平面体を、複数組合せてなる軟質性の多面体であり、この多面体は、内外の何れかにネットを備えた錠剤カプセル内に、マグネシウムを含む複数の粒子でなる水素水発生材を充填した構造の水素発生具であって、
この水素発生具を圧縮して、ペットボトル、瓶でなる容器の口から、一個ずつ、かつ複数個収容し、この収容後に、この複数個の水素発生具が、個別に復帰し、前記口より大径となる構成とした軟質特性を備えた水素発生具。
【請求項２】
請求項１に記載の軟質特性を備えた水素発生具であって、
前記軟質特性は、ピンセットで圧縮可能な弾性を備える構成とした軟質特性を備えた水素発生具。
【発明の詳細な説明】
【技術分野】
【０００１】
本発明は、健康に貢献できる水素水、又は珪素水の生成に最適な軟質特性を備えた水素発生具に関する。
【背景技術】
【０００２】
この種の水素発生具としては、本出願人が出願した特開２００３−１２３５６５号公報の発明は、「透孔を有する筒状本体に、マグネシウムを含む粒子を不織布の袋で囲繞して構成した水素水発生体を充填し、水素水発生体の粒子と、透孔より浸透する水との接触を利用して、水素水を生成する構造で有る」。この発明は、筒状本体であることから、ボトル等の容器に多数本入れる困難性と、好みの濃度の水素水を生成するには、簡易にできないと考えられる。そこで、水素発生体（水素発生具）を、カプセル形状（錠剤形状）とし、パック詰の形態を利用すれば、この問題の解消になると考えられる。
【０００３】
以上の改良が、先行文献によって、解消されるか検討する。この種の分野において、特開２００７−１６３３号公報において、水素豊富生成器を球体として、口部に嵌合したキャップの空間部に、配備する構造が開示されている。しかし、この発明は、水素豊富生成器をボトル内に収容する構造でなく、かつ錠剤形状とし、パック詰の形態を利用する構造でもない。また、実用新案登録第３００５７７４号公報において、複数個の小判形で、かつ多数の孔を備えた生成剤ケース内に、炭酸カルシウム、麦飯石、セラミックス、坑菌活性炭及び亜硫酸カルシウムを、それぞれ充填し、この小判形の生成剤ケースを、ボトル内に収納する構造のミネラルウォーター生成器が開示されている。しかし、この考案は、ボトルより直接、飲料した際に、この小判形の生成剤ケースが口に衝突する危険性と、場合により、口に入り危険性がある。さらに、特開２００３−１６４８８８号公報において、庇部を備えた円筒容器内に、球体のセラミックボールを充填し、この円筒容器をボトル内に差込み支持する構造が開示されている。しかし、この発明は、セラミックボールを、単独で充填する構造でなく、かつ錠剤形状とし、パック詰の形態を利用する構造でもない。
【０００４】
【特許文献１】特開２００７−１６３３号公報
【特許文献２】実用新案登録第３００５７７４号公報
【特許文献３】特開２００３−１６４８８８号公報
【発明の概要】
【発明が解決しようとする課題】
【０００５】
以上の如く、文献１−３を含めた従来技術では、本発明が意図する「ボトル（容器）内に、水素水発生具（珪素水発生具）を複数個充填し、かつ錠剤形状とし、パック詰の形態を利用すれ構造」でもない。従って、水素水（珪素水）を水が充填された容器と、水素水発生具を利用して、何時でも、かつ何処でも、簡易に生成する構造でないこと、低コストの水素水発生具でないこと、等の課題がある。また、水素水の濃度を簡易に調整すること、各人の好む濃度を瞬時に達成すること、等の如く、この濃度の濃度を迅速性、正確性に確保するには、改良の余地がある。
【課題を解決するための手段】
【０００６】
請求項１では、「水素水（珪素水）を水が充填された容器と、水素水発生具を利用して、何時でも、かつ何処でも、簡易に生成できる構造を提供すること、その際に、低コストでなる水素水発生具を提供すること、又は水素水の濃度を簡易に調整とすることと、各人の好む濃度を瞬時に達成できる構造を提供すること、その際に、この濃度の濃度を迅速性、正確性に確保できる構造を提供すること、」等を意図する。「さらに一個ずつの多面体の面積と、水との接触頻度が拡充する効率を達成することを」意図する。
【０００７】
この意図を達成する請求項１は、多数の孔を有する六辺形状の平面体を、複数組合せてなる軟質性の多面体であり、この多面体は、内外の何れかにネットを備えた錠剤カプセル内に、マグネシウムを含む複数の粒子でなる水素水発生材を充填した構造の水素発生具であって、
この水素発生具を圧縮して、ペットボトル、瓶でなる容器の口から、一個ずつ、かつ複数個収容し、この収容後に、この複数個の水素発生具が、個別に復帰し、前記口より大径となる構成とした軟質特性を備えた水素発生具とする。
【０００８】
また請求項２では、請求項１の目的達成には、前記立方体の構造も考える必要性から、下記の構造を提案する。
【０００９】
この請求項２では、請求項１に記載の軟質特性を備えた水素発生具であって、
前記軟質特性は、ピンセットで圧縮可能な弾性を備える構成とした軟質特性を備えた水素発生具とする。
【００１０】
【００１１】
【００１２】
【００１３】
【００１４】
【発明の効果】
【００１５】
請求項１の発明は、多数の孔を有する六辺形状の平面体を、複数組合せてなる軟質性の多面体であり、多面体は、内外の何れかにネットを備えた錠剤カプセル内に、マグネシウムを含む複数の粒子でなる水素水発生材を充填した構造の水素発生具であって、
水素発生具を圧縮して、ペットボトル、瓶でなる容器の口から、一個ずつ、かつ複数個収容し、この収容後に、複数個の水素発生具が、個別に復帰し、口より大径となる構成とした軟質特性を備えた水素発生具である。
【００１６】
従って、請求項１では、「水素水（珪素水）を水が充填された容器と、水素水発生具を利用して、何時でも、かつ何処でも、簡易に生成できる構造を提供できること、その際に、低コストでなる水素水発生具を提供できること、又は水素水の濃度を簡易に調整とすることと、各人の好む濃度を瞬時に達成できる構造を提供できること、その際に、この濃度の濃度を迅速性、正確性に確保できる構造を提供できること、」等の特徴を有する。さらに一個ずつの多面体の面積と、水との接触頻度が拡充する効率がある。
【００１７】
この請求項２の発明では、請求項１に記載の軟質特性を備えた水素発生具であって、
軟質特性は、ピンセットで圧縮可能な弾性を備える構成とした軟質特性を備えた水素発生具である。
【００１８】
従って、請求項２では、請求項１の目的達成できるとともに、この目的を達成するに最適な、前記立方体の構造を提案できる。
【００１９】
【００２０】
【００２１】
【００２２】
【００２３】
【図面の簡単な説明】
【００２４】
【図１−１】水素発生具であり、六辺形状の平面体でなる多面体の一例を示した斜視図
【図１−２】水素発生具であり、六辺形状の平面体でなる多面体の他の一例を示した斜視図
【図２】図１−１の多面体とネットを、それぞれ欠截し、内部の水素水発生材を示した斜視図
【図３】容器（ボトル）に水素発生具を充填した状態の縮尺正面図
【図４−１】ボトルより水素水を流下する状態の拡大正面図
【図４−２】ボトルの口と水素発生具の関係を示した拡大正面図
【図４−３】図４−２の平面図
【図５】人が水素水を飲む状態の模式図
【図６】水素発生具を、錠剤形状とし、パック詰として使用する一例の一部欠截の縮尺斜視図
【発明を実施するための形態】
【００２５】
１は多面体で、この多面体１は、水素発生具Ａの外郭体を成す。そして、この多面体１は、六辺形状の平面体１００を複数組合せでなる構造であり、例えば、内面側１ａにネット２を繞設する（多面体１の成形時に、同時に設ける）。この多面体１には、内面側１ａに開口する多数の孔３を有する。また、この多面体１は、二分割可能な構造であり、この二分割構造を利用して、内面側１ａで形成される空胴部５に、水素水発生材６を充填する。この水素水発生材６は、水素発生具Ａの素材を成す。そして、この水素水発生材６の粒子の混合割合は、重量％で、マグネシウム（１５）、水晶石（７．５）、黒曜石（７．５）、トルマリン（１５）、抗菌砂（３０）、風化サンゴ（２０）、珪素（５）とする構成である。この水素水発生材６の流出は、ネット２で保護される構造であり、安心できる。そして、この水素水発生材６が、孔３より入り込む水７と接触することで、水素水７００が生成される。また、この水素水発生材６間には、多数の隙間６００があり、この隙間６００を水が浸透、かつ通過することで、短時間で、かつ効率的に水素水７００が生成されることを特徴とする。従って、空胴部５に充填する水素水発生材６の量も大切である。尚、図示しないが、ネット２は、多面体１の外面側１ｂもあり得るが、少なくとも、前記孔３を塞ぐように繞設する。この多面体１を、六角形状、四角形状で、例えば、サッカーボールの如く、主として、六角面の集合体とすることで、形状・強度の安定性と、視認による安心感の醸成、又は収縮性・復元性等の確保、並びに収縮・復元等の迅速化等に有効と考えられる。また、表面積の拡充で、水素水発生材６の粒子と水との接触頻度が増し、高濃度の水素水７００と、短時間での水素水７００が生成されると考えられる。従って、図１−１と、図１−２に示した構造が望ましい。
【００２６】
この多面体１とネット２は、弾性素材（可撓性素材）で形成し、ボトル８の口８００より大径とすることで、ボトル８内に挿入した後に、中の水素水７００を取出し時（流出時）に、この水素水７００と同時に流出し、人Ｈの口Ｈ１に入らない構造とする。即ち、窒息等のまさかの災害を防止する。また、口８００に多面体１が挟まった状態でも、この口８００と、多面体１との間に隙間１０が数条形成される構造であり、水素水７００の流出は可能な構造となっている。そして、ボトル８内に、複数個の水素水発生材６を充填し、好みの濃度の水素水７００を生成できる。また、珪素水の生成に於いても、同様であり、その説明は省略する。前述の如く、多面体１とネット２とを一体構造とすることで、成形の容易化と、形状の安定性とに役立つ特徴がある。
【００２７】
尚、この多面体１の水素発生具Ａでは、ボトル８への収容時の積層面積の縮小化に役立ち、かつ水素水発生材６の粒子と水との接触頻度が増し、前述した効果を達成するのに最適である。
【００２８】
また、水素発生具Ａを、ボトル８より取出すには、例えば、ピンセット（図示せず）で挾持し、この水素発生具Ａの全体（水素水発生材６を含む）を、圧縮して取出すことができるので問題はない。
【００２９】
図６において、水素発生具Ａを、錠剤形状とし、パック詰Ｂとして使用する一例の一部欠截の縮尺斜視図で示すように、パック詰Ｂの形態より、数個、取出して使用する。この例では、利便性と、販売の容易化、促進化等に役立つこと、又は保管の容易化、利便性に役立つ特徴がある。
【符号の説明】
【００３０】
１  多面体
１００  六辺形状の平面体
１ａ  内面側
１ｂ  外面側
２  ネット
３  孔
５  空胴部
６  水素水発生材
６００  隙間
７  水
７００  水素水
８  ボトル
８００  口
１０  隙間
Ａ  水素水発生具
Ｂ  パック詰
Ｈ  人
Ｈ１  口
【図１−１】
0005697572.tif 000002
【図１−２】
0005697572.tif 000003
【図２】
0005697572.tif 000004
【図３】
0005697572.tif 000005
【図４−１】
0005697572.tif 000006
【図４−２】
0005697572.tif 000007
【図４−３】
0005697572.tif 000008
【図５】
0005697572.tif 000009
【図６】
0005697572.tif 000010